(57)【特許請求の範囲】
【請求項１】
支持軸を有する箱体と、該箱体と嵌合する蓋体と、該支持軸を支点に往復摺動可能な扉掛止槓杆と、該箱体と該扉掛止槓杆とを常時弾発付勢している圧縮渦巻発条（Ａ）と、一方が該扉掛止槓杆に掛着され他方が操作板に掛着され該支持軸を支点に回動可能な回動板と、平板状可動鉄芯と、固定鉄芯を有する可動鉄芯吸引型電磁石と、該可動鉄芯に連動し手動解除槓杆と掛止ピン誘導溝とを有する操作板と、該操作板に片持されている圧縮渦巻発条（Ｂ）と、該圧縮渦巻発条（Ｂ）の押圧で電気回路の開閉切換ができる吸引確認用転換器と、該操作板の掛止ピン誘導溝の定位置で掛止又は開放できる掛止ピンと、該掛止ピンを常時弾発付勢している板バネと、からなることを特徴とする電気機器箱体の扉掛止装置。
【請求項２】
蓋体に、片持され該操作板の掛止ピン誘導溝の定位置で掛止又は開放できる掛止ピンと、該掛止ピンを常時弾発付勢している板バネと、を設けたことを特徴とする請求項１記載の電気機器箱体の扉掛止装置。
【請求項３】
可動鉄芯吸引型電磁石が励磁され可動鉄芯が吸引されると、操作板が摺動し、回動板が回転し、扉掛止槓杆が箱体から突出され、圧縮渦巻発条（Ａ）が圧縮され、該扉掛止槓杆が電気機器箱体の扉を掛止し、掛止ピンが掛止ピン誘導溝の定位置で掛止して該扉掛止槓杆の挿脱を不可能とし、該操作板の摺動で圧縮渦巻発条（Ｂ）が吸引確認用転換器を押圧し、例えば、開切換から閉切換になり、該閉切換が電気機器の制御基板等に送信されることにより該制御基板から該可動鉄芯吸引型電磁石が消磁制御されることを特徴とし、再度吸引型電磁石が励磁されると、該掛止ピンが該掛止ピン誘導溝から開放されると共に圧縮された圧縮渦巻発条（Ａ）の弾発力で扉掛止槓杆が箱体に摺動収納され、回動板が反転し、操作板が摺動し、可動鉄芯が抜出され、圧縮渦巻発条（Ｂ）が吸引確認用転換器から離れ、例えば、該閉切換から開切換になり、該開切換が該制御基板に送信されることにより該制御基板から該可動鉄芯吸引型電磁石が消磁制御されることを特徴とする請求項１記載の電気機器箱体の扉掛止装置。
【請求項４】
電気機器箱体の扉が扉掛止槓杆により掛止中であっても、手動解除槓杆を摺動させれば、掛止ピンが掛止ピン誘導溝から開放されると共に圧縮された圧縮渦巻発条（Ａ）の弾発力で扉掛止槓杆が箱体に摺動収納されることを特徴とする請求項１記載の電気機器箱体の扉掛止装置。
【発明の詳細な説明】
【０００１】
【発明の属する技術分野】
本発明は、電気機器（例えば、全自動洗濯機、衣類乾燥機、食器洗い乾燥機等の家庭用電気機器、又は業務用冷蔵庫、業務用冷凍庫等の業務用電気機器、又はインターロック式扉掛止器等）箱体の扉を電磁掛止する扉掛止装置に関する。
【０００２】
【従来の技術】
従来、例えば、扉開閉槓杆（ハンドル、レバー）と、該扉開閉槓杆に連動する扉爪と、からなる全自動洗濯機扉箱体の扉の扉爪を掛止するために設けられた扉爪掛止装置は、例えば、特開平１０−２７２２９３号公報、特開平１０−２８６３９４号公報等で開示されているように、機能（機構）的には、扉の扉爪が掛止できる電磁式扉爪掛止機構と、電磁式掛止機構の手動掛止解除機構と、からなるものが知られている。
【０００３】
【発明が解決しようとする課題】
しかしながら、電気機器箱体の扉には扉爪が必要なことと、該扉爪を収納するために扉爪掛止装置が大形になってしまうこと、等の問題点があった。
【０００４】
本発明は、従来の技術の有するこのような問題点を鑑みてなされたものであり、その目的とするところは、扉掛止槓杆の挿脱（往復摺動）で容易に電気機器箱体の扉を電磁掛止できる小形の電気機器箱体の扉掛止装置を提供しようとするものである。
【０００５】
【課題を解決するための手段】
上記目的を達成するために、本発明の電気機器箱体の扉掛止装置は、構成（ハード）的には、支持軸を有する箱体と、該箱体と嵌合する蓋体と、該支持軸を支点に往復摺動可能な扉掛止槓杆と、該箱体と該扉掛止槓杆とを常時弾発付勢している圧縮渦巻発条（Ａ）と、一方が該扉掛止槓杆に掛着され他方が操作板に掛着され該支持軸を支点に回動可能な回動板と、平板状可動鉄芯と、固定鉄芯を有する可動鉄芯吸引型電磁石と、該可動鉄芯に連動し手動解除槓杆と掛止ピン誘導溝とを有する操作板と、該操作板に片持されている圧縮渦巻発条（Ｂ）と、該圧縮渦巻発条（Ｂ）の押圧で電気回路の開閉切換ができる吸引確認用転換器と、該操作板の掛止ピン誘導溝の定位置で掛止又は開放できる掛止ピンと、該掛止ピンを常時弾発付勢している板バネと、からなることを特徴とする。
【０００６】
細部においては、蓋体に、片持され該操作板の掛止ピン誘導溝の定位置で掛止又は開放できる掛止ピンと、該掛止ピンを常時弾発付勢している板バネと、を設けたことを特徴とする。
【０００７】
又、本発明の電気機器箱体の扉掛止装置は、作用（ソフト）的には、可動鉄芯吸引型電磁石が励磁され可動鉄芯が吸引されると、操作板が摺動し、回動板が回転し、扉掛止槓杆が箱体から突出され、圧縮渦巻発条（Ａ）が圧縮され、該扉掛止槓杆が電気機器箱体の扉を掛止し、掛止ピンが掛止ピン誘導溝の定位置で掛止して該扉掛止槓杆の挿脱を不可能とし、該操作板の摺動で圧縮渦巻発条（Ｂ）が吸引確認用転換器を押圧し、例えば、開切換から閉切換になり、該閉切換が電気機器の制御基板等に送信されることにより該制御基板から該可動鉄芯吸引型電磁石が消磁制御されることを特徴とし、再度吸引型電磁石が励磁されると、該掛止ピンが該掛止ピン誘導溝から開放されると共に圧縮された圧縮渦巻発条（Ａ）の弾発力で扉掛止槓杆が箱体に摺動収納され、回動板が反転し、操作板が摺動し、可動鉄芯が抜出され、圧縮渦巻発条（Ｂ）が吸引確認用転換器から離れ、例えば、該閉切換から開切換になり、該開切換が該制御基板に送信されることにより該制御基板から該可動鉄芯吸引型電磁石が消磁制御されることを特徴とする。
【０００８】
細部においては、電気機器箱体の扉が扉掛止槓杆により掛止中であっても、手動解除槓杆を摺動させれば、掛止ピンが掛止ピン誘導溝から開放されると共に圧縮された圧縮渦巻発条（Ａ）の弾発力で扉掛止槓杆が箱体に摺動収納されることを特徴とする。
【０００９】
【発明の実施の形態】
発明の実施の形態について図面を参照して説明する。
図１は本発明の一実施例の電気機器箱体の扉掛止装置１０の正面図であり、図２は図１の右側面図、図３は図１の左側面図、図４は図１の背面図、図５は図１の平面図、図６は図５の破断図、図７は蓋体３０を取外してはあるが掛止ピン３１開放時の正面図、図８は蓋体３０を取外してはあるが掛止ピン３１掛止時の正面図である。
【００１０】
本発明の一実施例の電気機器箱体の扉掛止装置１０は、支持軸２１を有する箱体２０（例えば、ＡＢＳ樹脂）と、該箱体２０と嵌合する蓋体３０（例えば、ＡＢＳ樹脂）と、該支持軸２１を支点に往復摺動可能な扉掛止槓杆４０（例えば、ＡＢＳ樹脂）と、該箱体２０と該扉掛止槓杆４０とを常時弾発付勢している圧縮渦巻発条（Ａ）２２（例えば、ステンレス鋼線）と、一方が該扉掛止槓杆４０に掛着され他方が操作板６０に掛着され該支持軸２１を支点に回動可能な回動板５０（例えば、ＡＢＳ樹脂）と、平板状可動鉄芯７３と、固定鉄芯７１を有する可動鉄芯吸引型電磁石７０と、該可動鉄芯７３に連動し手動解除槓杆６３と掛止ピン誘導溝６１とを有する操作板６０（例えば、ＡＢＳ樹脂）と、該操作板６０に片持されている圧縮渦巻発条（Ｂ）６２（例えば、ステンレス鋼線）と、該圧縮渦巻発条（Ｂ）６２の押圧で電気回路の開閉切換ができる吸引確認用転換器８０（例えば、マイクロスイッチ、片切スイッチ、両切スイッチ、点滅器）と、該蓋体３０に片持され該操作板６０の掛止ピン誘導溝６１の定位置で掛止又は開放できる掛止ピン３１と、該蓋体３０に取付けられ該掛止ピン３１を常時弾発付勢している板バネ３２と、からなる。
【００１１】
一実施例としての可動鉄芯吸引型電磁石７０は、銅線を円筒状のボビンに巻いて端子片７２に接続し電気絶縁材（例えば、ポリエステル樹脂、エポキシ樹脂、シリコーン樹脂、ウレタン樹脂等の接着シール材等で、他の材質の防水対策材、防湿対策材、結露対策材用等のものも含む。）で封止し、該ボビン内部に固定鉄芯７１を設け、可動鉄芯吸引型電磁石７０外周部に該固定鉄芯７１を嵌着した継鉄７４を囲繞したものである。
【００１２】
転換器８０の代替として、例えば、該操作板６０等に磁石を内蔵し、磁性感動素子（例えば、リードスイッチ、ホールＩＣ、磁気抵抗、コイル等）で可動鉄芯７３の吸引確認を検出しても良い。又、大電流を流したい場合は半導体素子（例えば、トランジスタ、サイリスタ、トライアック、ＦＥＴ、ＭＯＳＦＥＴ、専用ＩＣ等）等で電気回路等を構成すると良い。
【００１３】
本発明の一実施例の電気機器箱体の扉掛止装置１０は、作用（ソフト）的には、可動鉄芯吸引型電磁石７０が励磁され可動鉄芯７３が吸引されると、操作板６０が摺動し、回動板５０が回転し、扉掛止槓杆４０が箱体２０から突出され、圧縮渦巻発条（Ａ）２２が圧縮され、該扉掛止槓杆４０が電気機器箱体の扉を掛止し、掛止ピン３１が掛止ピン誘導溝６１の定位置で掛止して該扉掛止槓杆４０の挿脱を不可能とし、該操作板６０の摺動で圧縮渦巻発条（Ｂ）６２が吸引確認用転換器８０を押圧し、例えば、開切換から閉切換になり、該閉切換が電気機器の制御基板等に送信されることにより該制御基板から該可動鉄芯吸引型電磁石７０が消磁制御される。
【００１４】
再度吸引型電磁石７０が励磁されると、該掛止ピン３１が該掛止ピン誘導溝６１から開放されると共に圧縮された圧縮渦巻発条（Ａ）２２の弾発力で扉掛止槓杆４０が箱体２０に摺動収納され、回動板５０が反転し、操作板６０が摺動し、可動鉄芯７３が抜出され、圧縮渦巻発条（Ｂ）６２が吸引確認用転換器８０から離れ、例えば、該閉切換から開切換になり、該開切換が該制御基板に送信されることにより該制御基板から該可動鉄芯吸引型電磁石７０が消磁制御される。
【００１５】
細部においては、電気機器箱体の扉が扉掛止槓杆４０により掛止中であっても、手動解除槓杆６３を摺動させれば、掛止ピン３１が掛止ピン誘導溝６１から開放されると共に圧縮された圧縮渦巻発条（Ａ）２２の弾発力で扉掛止槓杆４０が箱体２０に摺動収納される。
【００１６】
以上、本発明の好適な実施の形態について述べてきたが、本発明は上述する実施の形態に限定されるものでなく、発明の精神を逸脱しない範囲で多くの組合せ、改変等を施し得るのはもちろんである。
【００１７】
【発明の効果】
本発明の電気機器箱体の扉掛止装置においては、扉掛止槓杆の挿脱（往復摺動）で容易に電気機器箱体の扉を電磁掛止できるという効果を奏する。
【図面の簡単な説明】
【図１】本発明の一実施例の電気機器箱体の扉掛止装置の正面図である。
【図２】本発明の一実施例の電気機器箱体の扉掛止装置の右側面図である。
【図３】本発明の一実施例の電気機器箱体の扉掛止装置の左側面図である。
【図４】本発明の一実施例の電気機器箱体の扉掛止装置の背面図である。
【図５】本発明の一実施例の電気機器箱体の扉掛止装置の平面図である。
【図６】本発明の一実施例の電気機器箱体の扉掛止装置の平面破断図である。
【図７】本発明の一実施例の電気機器箱体の扉掛止装置の蓋体を取外してはあるが掛止ピン開放時の正面図である。
【図８】本発明の一実施例の電気機器箱体の扉掛止装置の蓋体を取外してはあるが掛止ピン掛止時の正面図である。
【符号の説明】
１０…扉爪掛止装置、２０…箱体、２１…支持軸、２２…圧縮渦巻発条（Ａ）３０…蓋体、３１…掛止ピン、３２…板バネ、４０…扉掛止槓杆、５０…回動板、６０…操作板、６１…掛止ピン誘導溝、６２…圧縮渦巻発条（Ｂ）、６３…手動解除槓杆、７０…可動鉄芯吸引型電磁石、７１…固定鉄芯、７２…可動鉄芯吸引型電磁石端子片、７３…可動鉄芯、７４…継鉄、８０…転換器、８１…転換器端子片、８２…押釦部
【図１】
0003620828.tif 000002
【図２】
0003620828.tif 000003
【図３】
0003620828.tif 000004
【図４】
0003620828.tif 000005
【図５】
0003620828.tif 000006
【図６】
0003620828.tif 000007
【図７】
0003620828.tif 000008
【図８】
0003620828.tif 000009